(57)【特許請求の範囲】
【請求項１】
カラー印刷装置の色表現特性を調整するプロファイルデータを作成するプロファイル作成ソフトで使用される色表現特性評価用カラーパッチを作成する色表現特性評価用カラーパッチ作成方法であって、
各パッチ部の色をオフセット印刷の印刷標準色とした標準カラーパッチの印刷データを記憶する記憶手段から標準カラーパッチの各パッチ部についてＹＭＣＫ網点％値を読み込むステップと、
標準カラーパッチの各パッチ部のＹＭＣＫ網点％値をもとにイエロー、マゼンタ、シアン、ブラックの各々の網点％値を所定の変動量だけそれぞれ増減させた複数種類の比較用カラーパッチの印刷データを作成して記憶手段に記憶させるステップと、
記憶手段から標準カラーパッチおよび複数種類の比較用カラーパッチの印刷データを読み出し、カラー印刷装置によりそれぞれ印刷させるステップと、
カラー印刷装置によりそれぞれ印刷された標準カラーパッチの印刷物および複数種類の比較用カラーパッチの印刷物について各パッチ部のＬａｂ値を測色するステップと、
標準カラーパッチおよび複数種類の比較用カラーパッチの印刷物について、各パッチ部の測定結果をオフセット印刷の印刷標準色と比較し、印刷標準色にＬａｂ値が近いカラーパッチのＹＭＣＫ網点％値をもとに色表現特性評価用カラーパッチのパッチ部のＹＭＣＫ網点％値を決定し、色表現特性評価用カラーパッチを作成するステップとを備えることを特徴とする色表現特性評価用カラーパッチ作成方法。
【請求項２】
請求項１記載の色表現特性評価用カラーパッチ作成方法を用いて作成された色表現特性評価用カラーパッチ。
【請求項３】
カラー印刷装置の色表現特性を調整するプロファイルデータを作成するプロファイル作成ソフトで使用される色表現特性評価用カラーパッチを作成する色表現特性評価用カラーパッチ作成装置であって、
各パッチ部の色をオフセット印刷の印刷標準色とした標準カラーパッチの印刷データを記憶する記憶手段と、
記憶手段から標準カラーパッチの各パッチ部についてＹＭＣＫ網点％値を読み込み、標準カラーパッチの各パッチ部のＹＭＣＫ網点％値をもとにイエロー、マゼンタ、シアン、ブラックの各々の網点％値を所定の変動量だけそれぞれ増減させた複数種類の比較用カラーパッチの印刷データを作成して記憶手段に記憶させる比較用パッチ作成手段と、
記憶手段から標準カラーパッチおよび複数種類の比較用カラーパッチの印刷データを読み出し、カラー印刷装置によりそれぞれ印刷させる印刷指示手段と、
カラー印刷装置によりそれぞれ印刷された標準カラーパッチの印刷物および複数種類の比較用カラーパッチの印刷物について各パッチ部のＬａｂ値を測色した結果を、オフセット印刷の印刷標準色と比較し、印刷標準色にＬａｂ値が近いカラーパッチのＹＭＣＫ網点％値をもとに色表現特性評価用カラーパッチのパッチ部のＹＭＣＫ網点％値を決定する評価用パッチ作成手段とを備えることを特徴とする色表現特性評価用カラーパッチ作成装置。
【請求項４】
請求項２記載の色表現特性評価用カラーパッチを調整対象のカラー印刷装置で紙に印刷するステップと、印刷物の色を測色した結果とオフセット印刷の印刷標準色とを比較して、各パッチ部の色と印刷標準色との色差が小さくなるようにカラー印刷装置の色表現特性を調整するプロファイルデータを作成するステップと、作成されたプロファイルデータをカラー印刷装置に組み込むステップと、プロファイルデータの組込後にカラー印刷装置で検証用カラーパッチを紙に印刷するステップと、印刷物の色を測色した結果とオフセット印刷の印刷標準色とを比較して、調整結果を確認するステップとを有することを特徴とするカラーマネジメント方法。
【発明の詳細な説明】
【技術分野】
【０００１】
本発明は、色表現特性評価用カラーパッチ作成方法、色表現特性評価用カラーパッチ、色表現特性評価用カラーパッチ作成装置及びカラーマネジメント方法に関するものである。
【背景技術】
【０００２】
従来、印刷の版式としてはオフセット印刷が一般的であったが、カラーコピー機やカラープリンタの性能向上に伴って、高画質を要求されるデザイン系の事業所においても、コンピュータで作成した印刷データを、カラーコピー機やカラープリンタで出力したものがそのまま使われるようになってきた。
【０００３】
しかしながら、オフセット印刷方式で印刷した印刷物と、電子写真方式で印刷した印刷物とでは、使用するインキとトナーの違いによって、印刷物の色味が異なってしまうという問題があり、電子写真方式の印刷物では特に赤みが強調して印刷されてしまうという問題があった。
【０００４】
そこで、カラー印刷を行う印刷装置において色の表現特性を調整するカラーマネジメントシステムが提供されており、例えば特許文献１に開示された印刷システムでは、評価用のカラーパッチの印刷データを紙に印刷して、印刷されたカラーパッチの色を測定し、測定結果を各パッチ部の色と照合することで、印刷物の色が基準色に一致するように、トナーインキ（例えばシアン（Ｃ）、マゼンタ（Ｍ）、イエロー（Ｙ）、ブラック（Ｋ）の４色）の配合割合などを補正していた。
【特許文献１】特開２００３−２１６３９８号公報（段落［００４８］−［００５６］）
【発明の開示】
【発明が解決しようとする課題】
【０００５】
上述した従来のカラーマネジメントシステムでは、色表現特性評価用カラーパッチの各パッチ部の色に、オフセット印刷の印刷色標準であるJapan Color 2001 Type3 Coatedを用いているため、オフセット印刷で使用するインキと電子写真方式で使用するトナーの違いから、色ズレを低減する効果が充分に得られず、色表現特性を調整するプロファイルデータを装備後でも色差（ΔＥ）は４．７〜５．０程度であり、一般の人でも色の違いを感知できる程度にしかならなかった。
【０００６】
本発明は上記問題点に鑑みて為されたものであり、その目的とするところは、印刷色標準との色ずれをさらに低減できる色表現特性評価用カラーパッチ作成方法、色表現特性評価用カラーパッチ、色表現特性評価用カラーパッチ作成装置及びカラーマネジメント方法を提供することにある。
【課題を解決するための手段】
【０００７】
上記目的を達成するために、請求項１の発明は、カラー印刷装置の色表現特性を調整するプロファイルデータを作成するプロファイル作成ソフトで使用される色表現特性評価用カラーパッチを作成する色表現特性評価用カラーパッチ作成方法であって、各パッチ部の色をオフセット印刷の印刷標準色とした標準カラーパッチの印刷データを記憶する記憶手段から標準カラーパッチの各パッチ部についてＹＭＣＫ網点％値を読み込むステップと、標準カラーパッチの各パッチ部のＹＭＣＫ網点％値をもとにイエロー、マゼンタ、シアン、ブラックの各々の網点％値を所定の変動量だけそれぞれ増減させた複数種類の比較用カラーパッチの印刷データを作成して記憶手段に記憶させるステップと、記憶手段から標準カラーパッチおよび複数種類の比較用カラーパッチの印刷データを読み出し、カラー印刷装置によりそれぞれ印刷させるステップと、カラー印刷装置によりそれぞれ印刷された標準カラーパッチの印刷物および複数種類の比較用カラーパッチの印刷物について各パッチ部のＬａｂ値を測色するステップと、標準カラーパッチおよび複数種類の比較用カラーパッチの印刷物について、各パッチ部の測定結果をオフセット印刷の印刷標準色と比較し、印刷標準色にＬａｂ値が近いカラーパッチのＹＭＣＫ網点％値をもとに色表現特性評価用カラーパッチのパッチ部のＹＭＣＫ網点％値を決定し、色表現特性評価用カラーパッチを作成するステップとを備えることを特徴とする。
【０００８】
請求項２の発明の色表現特性評価用カラーパッチは、請求項１記載の色表現特性評価用カラーパッチ作成方法を用いて作成したことを特徴とする。
【０００９】
請求項３の発明は、カラー印刷装置の色表現特性を調整するプロファイルデータを作成するプロファイル作成ソフトで使用される色表現特性評価用カラーパッチを作成する色表現特性評価用カラーパッチ作成装置であって、各パッチ部の色をオフセット印刷の印刷標準色とした標準カラーパッチの印刷データを記憶する記憶手段と、記憶手段から標準カラーパッチの各パッチ部についてＹＭＣＫ網点％値を読み込み、標準カラーパッチの各パッチ部のＹＭＣＫ網点％値をもとにイエロー、マゼンタ、シアン、ブラックの各々の網点％値を所定の変動量だけそれぞれ増減させた複数種類の比較用カラーパッチの印刷データを作成して記憶手段に記憶させる比較用パッチ作成手段と、記憶手段から標準カラーパッチおよび複数種類の比較用カラーパッチの印刷データを読み出し、カラー印刷装置によりそれぞれ印刷させる印刷指示手段と、カラー印刷装置によりそれぞれ印刷された標準カラーパッチの印刷物および複数種類の比較用カラーパッチの印刷物について各パッチ部のＬａｂ値を測色した結果を、オフセット印刷の印刷標準色と比較し、印刷標準色にＬａｂ値が近いカラーパッチのＹＭＣＫ網点％値をもとに色表現特性評価用カラーパッチのパッチ部のＹＭＣＫ網点％値を決定する色表現特性評価用パッチ作成手段とを備えることを特徴とする。
【００１０】
請求項４の発明のカラーマネジメント方法は、請求項２記載の色表現特性評価用カラーパッチを調整対象のカラー印刷装置で紙に印刷するステップと、印刷物の色を測色した結果とオフセット印刷の印刷標準色とを比較して、各パッチ部の色と印刷標準色との色差が小さくなるようにカラー印刷装置の色表現特性を調整するプロファイルデータを作成するステップと、作成されたプロファイルデータをカラー印刷装置に組み込むステップと、プロファイルデータの組込後にカラー印刷装置で検証用カラーパッチを紙に印刷するステップと、印刷物の色を測色した結果とオフセット印刷の印刷標準色とを比較して、調整結果を確認するステップとを有することを特徴とする。
【発明の効果】
【００１１】
請求項１の発明によれば、標準カラーパッチおよび複数種類の比較用カラーパッチの印刷データをカラー印刷装置でそれぞれ印刷した印刷物について、各パッチ部毎にＬａｂ値を測定し、Ｌａｂ値が印刷標準色に近いカラーパッチのＹＭＣＫ網点％値から、評価用カラーパッチのパッチ部のＹＭＣＫ網点％値を決定しており、このような方法でＹＭＣＫ網点％値が決定されたパッチ部をカラー印刷装置で印刷すれば、印刷物の色がオフセット印刷の印刷標準色により近付くように、カラー印刷装置の表現特性を補正することができるという効果がある。
【００１２】
請求項２の発明によれば、請求項１記載の色表現特性評価用カラーパッチ作成方法を用いて色表現特性評価用カラーパッチを作成しており、この色表現特性評価用カラーパッチを用いることで、印刷物の色がオフセット印刷の印刷標準色により近付くように、カラー印刷装置の表現特性を補正することができる。
【００１３】
請求項３の発明によれば、印刷物の色がオフセット印刷の印刷標準色により近付くように、カラー印刷装置の表現特性を補正することが可能な色表現特性評価用カラーパッチを作成することができる。
【００１４】
請求項４の発明によれば、請求項２記載の色表現特性評価用カラーパッチを用いて調整対象のカラー印刷装置の表現特性を調整しているので、オフセット印刷の印刷標準色により近付くように、カラー印刷装置の表現特性を補正することができる。
【発明を実施するための最良の形態】
【００１５】
以下に本発明の実施の形態を図１〜図４に基づいて説明する。
【００１６】
図１に、本発明に係る色表現特性評価用カラーパッチ作成方法を用いる色表現特性評価用カラーパッチ作成装置１の概略的なブロック図を示す。色表現特性評価用カラーパッチ作成装置１は、プロファイル作成ソフトで使用される色表現特性評価用カラーパッチを作成するためのものである。なおプログラム作成ソフトとは、例えばカラーコピー機のようなカラー印刷装置の色表現特性を調整するプロファイルデータを作成するためのプログラムであり、例えばエックスライト株式会社のMonaco PROFILER 4.8、Eye-One Share、ColorPort 1.5.2や、イー・エフ・アイ株式会社のColorWise Pro Tools 3.0や、キャノン株式会社のProfile Builder 3.0などがある。
【００１７】
色表現特性評価用カラーパッチ作成装置１は、例えば色表現特性評価用カラーパッチを作成するプログラムが組み込まれたコンピュータにより実現され、各パッチ部の色をオフセット印刷の印刷標準色とした標準カラーパッチの印刷データや後述する比較用カラーパッチの印刷データや動作用のプログラムを記憶する記憶部３（記憶手段）と、記憶部３に格納されたプログラムを実行する信号処理部２と、標準カラーパッチおよび複数種類の比較用カラーパッチの印刷データをカラー印刷装置に出力する印刷データ出力部４と、各種の表示を行うモニタ５と、キーボードやマウスなどの入力装置６とを主要な構成として備える。ここにおいて、信号処理部２は、記憶部３から標準カラーパッチの各パッチ部についてＹＭＣＫ網点％値を読み込み、標準カラーパッチの各パッチ部のＹＭＣＫ網点％値をもとにイエロー、マゼンタ、シアン、ブラックの各々の網点％値を所定の変動量だけそれぞれ増減させた複数種類の比較用カラーパッチの印刷データを作成して記憶部３に記憶させる比較用パッチ作成手段、カラー印刷装置によりそれぞれ印刷された標準カラーパッチの印刷物および複数種類の比較用カラーパッチの印刷物について各パッチ部のＬａｂ値を測色した結果を、オフセット印刷の印刷標準色と比較し、印刷標準色にＬａｂ値が近いカラーパッチのＹＭＣＫ網点％値をもとに評価用カラーパッチのパッチ部のＹＭＣＫ網点％値を決定する色表現特性評価用パッチ作成手段としての機能を備えている。
【００１８】
図２は色表現特性評価用カラーパッチ１０Ａの一例を示す例図であり、複数色のパッチ部１１がマトリクス状に配列されている。そして、色表現特性評価用カラーパッチ作成装置１の記憶部３には、各パッチ部の色をオフセット印刷の印刷標準色とした標準カラーパッチの印刷データが記憶されている。尚、図２ではパッチ部１１が白黒の濃淡表示で示されているが、実際にはＩＳＯ１２６４７−２の規格で定められた印刷色標準Japan Color 2001 Type3 Coatedとなっており、全部で９２８個のパッチ部１１がある。また９２８個のパッチ部１１のうち、一部（例えば１２個）のパッチ部１１の色は重複しているため、色の数は全部で９１６色となる。
【００１９】
この色表現特性評価用カラーパッチ作成装置１による色表現特性評価用カラーパッチの作成方法を図３のフローチャートを参照して説明する。
【００２０】
信号処理部２では、記憶部３から標準カラーパッチの各パッチ部について減色混合の３原色（イエロー、マゼンタ、シアン）およびブラックの混合比率（ＹＭＣＫ網点％値）を読み込み（ステップＳ１）、標準カラーパッチの各パッチ部のＹＭＣＫ網点％値をもとにイエロー、マゼンタ、シアン、ブラックの各々の網点％値を所定の変動量だけそれぞれ増減させた複数種類の比較用カラーパッチの印刷データを作成して記憶部３に記憶させる（ステップＳ２）。ここにおいて、信号処理部２では、標準カラーパッチの各パッチ部について、イエロー、マゼンタ、シアン、ブラックの各々について網点％値を＋５％、±０％、−５％とした比較用カラーパッチの印刷データを作成しており、合計で３×３×３×３＝８１通りの比較用カラーパッチを作成している。尚、本実施形態ではイエロー、マゼンタ、シアン、ブラックの各々の網点％値を＋５％、±０％、−５％として比較用カラーパッチの印刷データを作成しているが、網点％値の変動量を＋５％或いは−５％に限定する趣旨のものではないし、また網点％値を４通り以上に変化させても良い。
【００２１】
次に信号処理部２は、記憶部３から標準カラーパッチおよび比較用カラーパッチの印刷データを読み込み、印刷データ出力部４からカラーコピー機７に出力して、カラーコピー機７により各々のカラーパッチを印刷させており（ステップＳ３）、カラーコピー機７により印刷された標準カラーパッチおよび比較用カラーパッチ（計８１枚）の印刷物１０Ｂについて、各パッチ部１１のＬａｂ値を分光測定器８により測色する（ステップＳ４）。なお、分光測定器８としては例えばエックスライト株式会社のＤＴＰ−４１、Ｅｙｅ−Ｏｎｅ、Ｅｙｅ−Ｏｎｅ  ｉＯを用いているが、Ｌａｂ値を測色できるものであれば、どのような測定器を用いても良い。
【００２２】
分光測定器８から８１枚の印刷物１０Ｂについて測定結果が入力されると、信号処理部６では、９１６色のパッチ部１１のＹＭＣＫ網点％値について、標準カラーパッチのＹＭＣＫ網点％値からの補正値を求める処理を行う。９１６色のパッチ部１１には１番から９１６番までの番号ｎが付されており、信号処理部６は、先ず演算対象のパッチ部１１の番号ｎを１として（ステップＳ５）、番号ｎが９１６を越えているか否かを判定する（ステップＳ６）。
【００２３】
ステップＳ６の判定においてパッチ部１１の番号ｎが９１６以下の場合、信号処理部６は、ｎ番のパッチ部１１について、８１枚の印刷物１０ＢのＬａｂ値と、オフセット印刷の印刷標準色のＬａｂ値とを比較し、両者の色差ΔＥを求める（ステップＳ７）。ここで、あるパッチ部１１の色について印刷物１０ＢのＬａｂ値を（Ｌ１，ａ１，ｂ１）、印刷標準色のＬａｂ値を（Ｌ２，ａ２，ｂ２）としたときに、両者の色差ΔＥは下記の式（１）で求められる。
【００２４】
【数１】
0004875583.tif 000002
【００２５】
次に信号処理部６では、ｎ番のパッチ部１１についてΔＥの小さい方から４枚の印刷物１０Ｂを抽出し（ステップＳ８）、抽出された４枚の印刷物１０ＢのＹＭＣＫ網点％値の加重平均を求め、小数点以下第１位を四捨五入することで、イエロー、マゼンタ、シアン、ブラックの各色成分について標準カラーパッチのＹＭＣＫ網点％値からの補正値を求めた後（ステップＳ９）、ＹＭＣＫ網点％値の補正値を記憶部３に記憶させる（ステップＳ１０）。尚、本実施形態では、抽出された４枚の印刷物１０ＢのＹＭＣＫ網点％値の加重平均を求めることで補正値を算出しているが、補正値の算出方法を加重平均に限定する趣旨のものではなく、その他の統計計算により補正値を求めても良い。またΔＥの小さい方から４枚の印刷物１０Ｂを抽出しているが、抽出する数は４枚に限定されるものではない。
【００２６】
その後、信号処理部６ではパッチ部１１の番号ｎに１を加算して（ステップＳ１１）、ステップＳ６に戻り、パッチ部１１の番号ｎが９１６を越えるまで上記の処理を繰り返すことで、９１６色のパッチ部１１全てについて標準カラーパッチのＹＭＣＫ網点％値からの補正値を求め、色表現特性評価用カラーパッチ１０Ａの印刷データを作成する（ステップＳ１２）。尚、表１は１番から９１６番までのパッチ部１１について印刷色標準のＹＭＣＫ網点％値と補正後のＹＭＣＫ網点％値とを並べて表示したものであり、例えば１番のパッチ部１１では、印刷色標準に比べて補正後のマゼンタの網点％値が１増加し、ブラックの網点％値が１低下している。
【００２７】
【表１】
0004875583.tif 000003
【００２８】
上述のように本発明の色表現特性評価用カラーパッチ作成方法によれば、標準カラーパッチおよび複数種類の比較用カラーパッチの印刷データをカラーコピー機７でそれぞれ印刷した印刷物について、各パッチ部１１毎にＬａｂ値を測定し、Ｌａｂ値が印刷標準色に近いカラーパッチのＹＭＣＫ網点％値から、色表現特性評価用カラーパッチのパッチ部１１のＹＭＣＫ網点％値を決定しており、このような方法で各パッチ部１１のＹＭＣＫ網点％値が決定された色表現特性評価用カラーパッチを用いれば、印刷物の色がオフセット印刷の印刷標準色により近付くように、調整対象のカラー印刷装置の表現特性を補正することができる。
【００２９】
次に、色表現特性評価用カラーパッチ作成装置１により作成された色表現特性評価用カラーパッチ１０Ａを用いて、色表現特性評価用カラーパッチ１０Ａを作成する際に用いたカラーコピー機７と同機種のカラーコピー機のカラーマネジメントを行う方法について以下に説明する。
【００３０】
まず、色表現特性評価用カラーパッチ作成装置１を用いて色表現特性評価用カラーパッチ１０Ａを作成したプロファイル作成サービス提供者は、調整対象のカラーコピー機を所有する顧客に対して、色表現特性評価用カラーパッチ１０Ａの印刷データ、作業マニュアル、カラーパッチの出力用紙などを同梱したプロファイル作成キットを送付する（ステップＳ２１）。プロファイル作成キットを受け取った顧客は、作業マニュアルに従って、調整対象のカラーコピー機により色表現特性評価用カラーパッチ１０Ａを出力用紙に印刷し、印刷物をプロファイルサービス提供者に返送する（ステップＳ２２）。プロファイルサービス提供者は顧客から印刷物を受け取ると、既存のプロファイル作成ソフトを用い、対象のコピー機で印刷された印刷物を測色し、出力特性を補正するためのプロファイルデータを作成する（ステップＳ２３）。プロファイルデータの作成が終了すると、プロファイルサービス提供者は作成したプロファイルデータを顧客へ送付し（ステップＳ２４）、このプロファイルデータを顧客側で調整対象のカラーコピー機にアップロードすることで、カラーコピー機の色表現特性が改善される（ステップＳ２５）。そして、プロファイルデータの組込後に調整対象のカラーコピー機で検証用カラーパッチを用紙に印刷し（ステップＳ２６）、この印刷物をプロファイルサービス提供者へ返送すると、プロファイルサービス提供者側で印刷物のパッチ部の色とオフセット印刷の印刷標準色との色差ΔＥを求め（ステップＳ２７）、検証結果を顧客に返送する（ステップＳ２８）。
【００３１】
以上のようにしてカラーコピー機の色表現特性を調整するのであるが、色表現特性評価用カラーパッチ１０Ａに上述の方法で各パッチ部１１の色を補正したものを用いているので、オフセット印刷の印刷標準色により近付くように、カラーコピー機の表現特性を補正することができる。
【００３２】
なお本発明者らは、上記の色表現特性評価用カラーパッチ１０Ａを用いてＡ社、Ｂ社、Ｃ社の各社が所有する各１台のカラーコピー複合機について色表現特性を調整したところ、カラーコピー複合機の出力物と、印刷標準色（Japan Color 2001 Type3 Coated）との色差は、ＩＳＯ１２６４２パッチ９２８色の平均色差ΔＥで表２に示すような結果となった。すなわち、Ａ社のカラーコピー複合機の場合は補正前の平均色差ΔＥが４．７８であったのに対して、補正後の平均色差ΔＥは２．８２に向上し、Ｂ社のカラーコピー複合機の場合は補正前の平均色差ΔＥが５．２２であったのに対して、補正後の平均色差ΔＥは３．１３に向上し、Ｃ社のカラーコピー複合機の場合は補正前の平均色差ΔＥが４．９４であったのに対して、補正後の平均色差ΔＥは３．０７に向上した。また、上記の３社以外にも十数台のカラーコピー機について、上記の色表現特性評価用カラーパッチ１０Ａを用いて色表現特性の調整を行っており、調整前の平均色差ΔＥが４．７〜５．２（一般の人でも色の違いが感知できるレベル）であったのに対して、調整後は平均色差ΔＥを２．８〜３．１（熟練者でなければ色の違いを感知できないレベル）に向上させることができた。
【図面の簡単な説明】
【００３３】
【図１】本発明に係るカラーパッチ作成方法を用いたカラーパッチ作成装置の概略的なブロック図である。
【図２】同上を用いて作成されるカラーパッチの説明図である。
【図３】同上を説明するフローチャートである。
【図４】同上を用いたカラーマネジメント方法を説明するフローチャートである。
【符号の説明】
【００３４】
１  カラーパッチ作成装置
２  信号処理部
３  記憶部
４  印刷データ出力部
５  モニタ
６  入力装置
７  カラーコピー機
８  分光測定器
【図１】
0004875583.tif 000004
【図２】
0004875583.tif 000005
【図３】
0004875583.tif 000006
【図４】
0004875583.tif 000007